(57)【特許請求の範囲】
【請求項１】
天板と天板を支持する脚体とを具備し、パネル等のオプション部品を前記天板の辺に沿って取り付け得るようにしたものであって、前記脚体から天板の隅部に向かって延びる一対の部材要素からなる支持部材を該脚体とは別体に設け、その一対の部材要素に前記隅部を境にして隣り合うオブション部品を支持するための支持部をそれぞれ設けるとともに、それら支持部の位置を前記隣り合うオプション部品がなす角の平面視２等分線に対し互いに対称な位置となるように設定していることを特徴とするテーブル。
【請求項２】
前記支持部にブラケットを取り付け、そのブラケットにオプション部品を支持させている請求項１記載のテーブル。
【請求項３】
ブラケットの支持部材に対する水平取付角度を変更可能に構成している請求項２記載のテーブル。
【請求項４】
オプション部品がパネルである請求項１、２、又は３記載のテーブル。
【請求項５】
天板の辺に沿って取り付けたオプション部品と当該辺との離間距離が、各辺でそれぞれ等しくなるように設定している請求項１、２、３又は４記載のテーブル。
【請求項６】
天板の反使用辺に沿って取り付けたオプション部品と当該反使用辺との離間距離が、天板の側辺に沿って取り付けたオプション部品と当該側辺との離間距離よりも長くなるように設定している請求項１、２、３又は４記載のテーブル。
【請求項７】
脚体が、支柱と、支柱の上端から前後に延びる天板受けとを備え、この天板受けの前端部及び後端部に支持部材を取り付けられるようにしている請求項１、２、３、４又は５記載のテーブル。
【発明の詳細な説明】
【０００１】
【発明の属する技術分野】
本発明は、パネル等のオプション部品を天板の辺に沿って取り付け可能なテーブルに関する。
【０００２】
【従来の技術】
従来、天板の使用端側の辺を除く各辺に沿ってデスクトップパネルや幕板、あるいはこれらを兼用するようなパネルを取り付け可能に構成したテーブルが知られている。具体的にこのようなパネルは、天板や脚体にブラケットを介在させるなどして取り付けられるようにしてある。
【０００３】
特にパネルを脚体に取り付けてパネルが天板とともには動かないようにしたものであると、例えば脚体に対して天板を前後にスライド移動可能に構成することにより、シンプルな外観で、天板の反使用辺側に開閉可能な配線挿通口を形成することができるといったことが可能になる。
【０００４】
【発明が解決しようとする課題】
ところが脚体がＴ字型やＬ字型のもの等、天板の隅角の２等分線に対して非対称の位置にあるものでは、天板の隅部を境として隣り合う各辺と、当該脚体と距離が互いに異なってしまうため、各辺から等距離離れた位置にパネルを取り付ける場合に、それぞれに異なった長さのブラケットを使用する必要がある。
【０００５】
より正確に言えば、所定取付位置に取り付けた隣り合うパネルのなす角の２等分線に対して脚体が非対称の位置にあるものでは、異なった長さのブラケットを使用する必要が生じる。そしてその結果、パネル毎に異なる種類のブラケットが必要となって、部品の標準化が図れない上、組立も複雑なものとなりコスト高にもつながるといった、製造販売側及び需要者双方にとって好ましくない事態が生じ得る。かかる不具合は、パネルのみならず、天板の辺に沿って取り付けるようなオプション部品全般に共通することである。
【０００６】
本発明は以上の不具合を解消すべく、パネル等のオプション部品を前記天板の各辺に沿った所定取付位置にそれぞれ取り付け得るようにしたテーブルにおいて、隣り合う辺に沿って配置される各オプション部品を、可及的に共通化された取付構造を利用して取り付けられるようにすることを解決すべき所期の課題とするものである。
【０００７】
【課題を解決するための手段】
すなわち本発明に係るテーブルは、天板と天板を支持する脚体とを具備し、パネル等のオプション部品を前記天板の辺に沿って取り付け得るようにしたものであって、前記脚体から天板の隅部に向かって延びる一対の部材要素からなる支持部材を該脚体とは別体に設け、その一対の部材要素に前記隅部を境にして隣り合うオブション部品を支持するための支持部をそれぞれ設けるとともに、それら支持部の位置を前記隣り合うオプション部品がなす角の平面視２等分線に対し互いに対称な位置となるように設定していることを特徴とする。
【０００８】
ここで「沿って」とは天板の辺に平行に又は略平行にという意味であり、天板の辺と密接する場合も離間する場合も含む。
【０００９】
しかしてこのようなものであれば、脚体がＴ字型やＬ字型のもの等、所定取付位置に取り付けた隣り合うパネルのなす角の２等分線に対して脚体が非対称の位置にあるものであっても、支持部材を介在させることにより、各支持部から隣り合う各オプション部品への距離が等しくなるので、共通する取付構造によって各辺に沿わせるべきオプション部品を取り付けることができるようになる。
【００１０】
パネル等のオプション部品には、出荷や組立を考慮した場合、脚体に取り付けるためのブラケットや支持部材を一組にしておくことが管理上好ましい。そのため本発明は、支持部材が一対の部材要素からなり、それら各部材要素にそれぞれ支持部を設定しておくことを特徴としている。
【００１１】
より具体的には、前記支持部にブラケットを取り付け、そのブラケットにオプション部品を支持させているものを挙げることができる。すなわちこのようなものであればブラケットを共通化できることとなる。もちろん、ブラケットのように独立したものに限らず、例えばオプション部品から一体的に突出させた取付片を支持部に支持させる場合でも、その取付片を共通化することが可能になる。
【００１２】
一方、天板には各種の形状があり、隣り合う辺のなす角度は９０度とは限らない。例えば、くの字形状や三角形状をなす天板であると、辺のなす角度は１３５度や１２０度等となる。このように隣り合う辺のなす角度が種々異なった場合でも、共通するブラケットを使用可能にするには、前記ブラケットの支持部材に対する水平取付角度を変更可能に構成しているものが好ましい。
【００１３】
具体的な実施態様としては。オプション部品がパネルであるものを挙げることができる。
【００１４】
また、天板の辺に沿って取り付けたオプション部品と当該辺との離間距離を、各辺でそれぞれ等しくなるように設定してもよいし、例えば天板の反使用辺に沿って取り付けたオプション部品と当該反使用辺との離間距離を、天板の側辺に沿って取り付けたオプション部品と当該側辺との離間距離よりも長く設定し、天板反使用辺とパネルとの間の隙間を配線挿通空間として、より有効に利用できるようにしたものでも構わない。
【００１５】
【発明の実施の形態】
以下に本発明の一実施形態について図面を参照して説明する。
【００１６】
本実施形態に係るテーブルＴは、図１〜図３に示すように、天板１と、この天板１の両側縁部をそれぞれ支持する左右一対の脚体２とを備え、オプション部品たるパネル３１、３２を前記天板１の使用辺１ｃを除く各辺、すなわち反使用辺１ａ、側辺１ｂに沿って平行にそれぞれ取り付け得るように構成してある。
【００１７】
天板１は、例えば隣り合う辺１ａ及び辺１ｂ、又は辺１ａ及び辺１ｃが互いに直交する矩形状をなすものである。
【００１８】
脚体２は、前後に対称形状をなすもので、床面に接地する前後に延びるベース２１と、このベース２１の中央から起立する支柱２２と、この支柱２２の上端から前後に延び、天板１の側辺部下面に固定されて該天板１を支持する天板受け２３とを備えた金属製のものである。本実施形態において支柱２２はシリンダ構造をなすもので、その上下寸法を変更することにより天板１の床面からの高さを調節できるように構成してある。
【００１９】
パネル３１、３２は、パネル本体３ａと枠体３ｂとからなる矩形状をなすもので、その各側縁部を脚体２から延ばした一対のブラケット４２により着脱可能に支持させてある。またこれらパネル３１、３２は、天板の各辺１ａ、１ｂに対応する幅寸法を有し、取付状態で天板１の上下に亘り、幕板兼デスクトップパネルとしての役割を担う。
【００２０】
しかして、本実施形態では、図４〜図７等に示すように、前記天板受け２３に、天板１の奥側隅部１ｄに向かって延びる支持部材４を取り付け、その支持部材４から２つのブラケット４２Ａ、４２Ｂをそれぞれさらに外方に延ばし、それらブラケット４２Ａ、４２Ｂの先端部に前記隅部１ｄを境にして隣り合う各パネル３１、３２の側縁部をそれぞれ取り付けるようにしている。
【００２１】
詳述すれば、支持部材４は、それぞれが起立板状をなす対称な一対の部材要素４３、４４からなるものであり、途中に段差があってその基端部４Ａの上面が先端部４Ｂの上面より上方となるような形状をなす。そして、前記基端部４Ａに天板受け２３への取付に利用する取付部を設けるとともに、先端部４Ｂに各ブラケット４２Ａ、４２Ｂを支持することによって間接的にパネル３１、３２を支持するための支持部を設けている。なお、本実施形態において各パネル３１、３２の隣接しない側の側縁部は、天板受け２３に単独で取り付けた部材要素４３、４４に、ブラケット４２Ａ、４２Ｂを介して支持させている。
【００２２】
本実施形態における前記取付部は、上下に貫通する取付ねじ挿通孔４ａであり、この取付ねじ挿通孔４ａに、下方から挿入した支持部材取付ねじＢ１を、天板受け２３の先端部下面に開口させた取付ねじ孔Ｎ１にねじ止めすることにより、この支持部材４を天板受け２３の下面に着脱可能に固定している。さらに本実施形態における前記取付ねじ挿通孔４ａは、当該支持部材４の延長方向に沿って各部材要素４３、４４毎に複数が設けてあって、どの取付ねじ挿通孔４ａを天板受け２３への取付に用いるかによって、支持部材４全体でも、部材要素４３、４４単独でも、その取付位置を、天板１の反使用辺１ａに直交する方向に沿って段階的に変更可能に構成している。このことにより、例えば奥行き寸法の異なる各種天板１に対しても、共通する脚体２及び支持部材４を用いながら、支持部材４の先端部の位置を天板１の隅部１ｄに設定することができる。
【００２３】
なお、支持部材４の基端部上面から突出するピンＰは、天板受け２３の先端部下面に設けられたピン穴Ｈに嵌合することにより支持部材４の取付位置を規定する位置決め用のものである。また、各部材要素４３、４４は、天板受け２３への取付により内側起立面同士が近接又は密接して支持部材４として一体的なものとなるところ、これら各部材要素４３、４４の内側起立面には、横断面半円形状をなす溝ｍが上下に亘って複数設けてあり、支持部材４として一体化させたときに、対応する一対の溝ｍ、ｍによって下方に開口する横断面円形状の穴Ｍが複数形成されるようにしてある。この穴Ｍは、例えば天板下方に配置する配線ダクト等の支持や位置決めに用いることができる。
【００２４】
一方、本実施形態における前記支持部は、上下に貫通するブラケット取付ねじ貫通孔４ｂがその役割を担う。本実施形態では各部材要素４３、４４に直列して２つずつ前記ブラケット取付ねじ貫通孔４ｂが設けてあって、前記部材要素４３、４４を支持部材４として一体化させた場合に、４つのブラケット取付ねじ貫通孔４ｂそれぞれが平面視正方形の頂点に位置するようにしてある。そしてそれらのうちの対角に位置する２つを支持部として利用するようにしている。しかしてこれら対角に位置する２つのブラケット取付ねじ貫通孔４ｂは、天板１の隅部１ｄを境にして取り付けるべき隣り合うパネル３１、３２の中心線同士がなす角α（９０度）の平面視２等分線Ｌに対し、互いに対称な位置となるように設定してある。本実施形態では、天板１の反使用辺１ａとそれに沿って取り付けるパネル３１との離間距離を、天板１の側辺１ｂとそれに沿って取り付けるパネル３２との離間距離よりも大きくなるように設定しているため、隣り合うパネル３１、３２のなす角の平面視２等分線Ｌは、天板１の隣り合う辺１ａ、１ｂのなす角の平面視２等分線とは一致しない。但し、前記離間距離をそれぞれ等しくなるようにした場合には、隣り合うパネル３１、３２のなす角の平面視２等分線Ｌは、天板１の隣り合う辺１ａ、１ｂのなす角の平面視２等分線と合致するため、それを基準に各ブラケット取付ねじ貫通孔４ｂを互いに対称な位置となるように設定してもよい。
【００２５】
なお、これらブラケット取付ねじ貫通孔４ｂの開口部には、ブラケット取付ねじ貫通孔４ｂと同軸をなす座繰り穴４ｃが形成してある。
【００２６】
ブラケット４２Ａ、４２Ｂは、例えば前記支持部４ｂに基端部を支持させたアーム部４２１、４２２と、このアーム部４２１、４２２の先端部から一体に延びてパネル３１、３２を支持するブラケット本体４２３とを備えたものである。本実施形態では上下に離間して水平に延びる一対のアーム部４２１、４２２を設け、ブラケット本体４２３を鉛直方向に延びるものとすることにより、このブラケット４２の全体形状をコの字状にしている。なお、２つのアーム部４２１、４２２をいずれか１つにしてブラケット４２の全体形状をＬ字状にしても構わない。
【００２７】
しかして下側アーム部４２２の基端部には、ブラケット取付ねじＢ２を下方から挿通させるためのブラケット取付ねじ挿通孔４ｄを設ける一方、上側アーム部４２１の基端部には当該ブラケット取付ねじＢ２をねじ止めするための有底ブラケット取付ねじ穴４ｅを、前記ブラケット取付ねじ挿通孔４ｄと同軸線上に形成している。さらに、これらアーム部４２１、４２２の対向する面の一方又は両方（本実施形態では上側アーム部４２１）には、前記支持部材４の座繰り穴４ｃに嵌合する横断面円形状の凸部４ｆを、前記ブラケット取付ねじ挿通孔４ｆと同軸線上に形成している。
【００２８】
そして、前記支持部材４の先端部をこれらアーム部４２１、４２２の基端部に上下から挟み込ませて前記座繰り穴４ｃと凸部４ｆとを嵌合させることにより、ブラケット４２Ａ、４２Ｂを支持部材４に水平旋回可能に組み付け得るようにしている。
【００２９】
またブラケット４２Ａ、４２Ｂの固定に際しては、その旋回角度を調整した後又は調整しつつ、ブラケット取付ねじＢ２を下方から下側アーム部４２２のブラケット取付ねじ挿通孔４ｄ及び支持部材４のブラケット取付ねじ貫通孔４ｂに貫通させた後、上側アーム部４２１のブラケット取付ねじ穴４ｅにねじ止めするようにしてある。なお本実施形態では、このアーム部４２１、４２２を、平面視前記２等分線Ｌと略平行をなし外方に延びるように取り付ける。
【００３０】
ブラケット本体４２３は、鉛直方向に延びるブロック状をなすもので、その一方の側面を内方に湾曲させ、パネル側縁部を両側から抱くようにしてパネルを支持するものである。しかして本実施形態では、このブラケット本体４２３とパネル３１、３２の側縁部との間に形成したパネル支持構造を利用して、当該パネル３１、３２を上下に位置変更可能に支持するようにしている。
【００３１】
このパネル支持構造は、パネル３１、３２の側縁に沿って開口し、その開口６１から奥に向かうほど幅が広がるように形成した裏当部材挿入溝６と、前記開口６１より幅広をなし前記挿入溝６にその延長方向（上下方向）に沿って移動可能に挿入した裏当部材７と、その裏当部材７とブラケット本体４２３とを互いに引き寄せることによってブラケット本体４２３の側面に設けた支持面４２ａをパネル３１、３２の側縁部外面３ａａに押圧し、当該パネル３１、３２を辺１ａ、１ｂに平行な姿勢でブラケット本体４２３（ブラケット４２Ａ、４２Ｂ）に固定する固定手段８とを備えたものである。
【００３２】
前記挿入溝６は、パネル３１、３２の側部枠体３ｂに、押し出し成形等により上下に亘って形成されたものである。
【００３３】
裏当部材７は、挿入溝６の断面形状と概略等しい断面形状の棒状をなす裏当部材本体７１と、この裏当部材本体７１の上端部から一体に突出し、前記挿入溝６の開口幅よりも幅狭の突出子７２とを備えるものであり、その中央にはパネル固定ねじ孔８ａを水平に貫通させてある。
【００３４】
また固定手段８は、前記支持面４２ａに開口するようにブラケット本体４２３に水平に貫通させたパネル固定ねじ挿通孔８ｂに、外側からパネル固定ねじＢ３を挿通し、そのパネル固定ねじＢ３を前記裏当部材７のパネル固定ねじ孔８ａに締着することにより、裏当部材７とブラケット本体４２３とを互いに引き寄せ、ブラケット本体４２３の支持面４２ａをパネル３１、３２の側縁部外面３ａａに押圧するようにしたものである。
【００３５】
さらに本実施形態では、被支持体たるパネル３１、３２を支持体たるブラケット本体４２３に固定する前に、その取付位置（取付高さ）を仮決め可能に構成したパネル位置仮決め手段と、裏当部材７をブラケット４２Ａ、４２Ｂに引き寄せる前に裏当部材７のブラケット４２Ａ、４２Ｂに対する位置を仮決め可能に構成した裏当部材位置仮決め手段とを設けている。これらはパネル３１、３２をブラケット４２Ａ、４２Ｂに固定する際の作業容易化を図るべく設けられたものである。
【００３６】
詳述すると、前記パネル位置仮決め手段は、前記挿入溝６の底面に開口する複数の凹部９１（本実施形態では挿入溝６の底壁を貫通する貫通孔）を、当該挿入溝６の延長方向に沿って間欠的に設ける一方、ブラケット本体４２３に前記挿入溝６の開口幅より幅狭の突起９２を設け、その突起９２が挿入溝６の開口６１を挿通して前記凹部９１に係り合うように構成してなるものである。そして、前記突起９２を所望の凹部９１に係り合わせることにより、パネル３１、３２をブラケット４２Ａ、４２Ｂに対し複数段階に仮位置決めできるようにしてある。
【００３７】
裏当部材位置仮決め手段は、ブラケット４２Ａ、４２Ｂに形成した当接面と裏当部材７に形成した被当接面とを当接させることにより、裏当部材７の一方方向へのスライドを禁止し、裏当部材７のブラケット４２Ａ、４２Ｂに対する位置を仮決めできるようにしたものである。具体的には、ブラケット４２Ａ、４２Ｂには上向き面を設ける一方、裏当部材７には下向き面を設け、これらを当接させることにより裏当部材７の下動を禁止し、その位置において裏当部材７のパネル固定ねじ孔８ａとブラケット本体４２３のパネル固定ねじ挿通孔８ｂとが同一軸線上に略並ぶように構成してある。
【００３８】
本実施形態において裏当部材７の下向き面は、裏当部材本体７１からブラケット４２Ａ、４２Ｂ側に突出させた突出子７２の下面及び裏当部材本体７１の下面であり、ブラケット４２Ａ、４２Ｂの上向き面は、ブラケット本体４２３に上方から切り欠くように形成した切り欠き部４２５の上向き面４２ｂ及び突起９２の上面がそれにそれぞれ相当する。
【００３９】
このように構成した本実施形態によれば、支持部材４を介在させることにより、各支持部４ｂから隣り合う各パネル３１、３２への距離が等しくなるので、共通するブラケット４２Ａ、４２Ｂによって各辺１ｂ、１ｃに沿わせるべきパネル３１、３２を取り付けることができるようになる。
【００４０】
またブラケット４２Ａ、４２Ｂが支持部材４に水平旋回可能に取り付けられているので、その取付角度を調整することにより、隣り合うパネルのなす角度が異なる場合でも共通するブラケット４２Ａ、４２Ｂを用いることができる。具体的な変形例を図８を参照して簡単に説明する。なおこの図中、前記実施形態に対応する部材には同じ符号を付している。すなわち、天板には各種の形状があり、隣り合う辺のなす角度は９０度とは限らない。例えば、図８に示すように、くの字形状をなす天板１であると、２つの反使用辺１ａ、１ａのなす角度は１３５度や１２０度等となる。そして必然的にそれら反使用辺１ａ、１ａに沿って取り付ける各パネル３１、３１のなす角度αも同じ角度となる。しかして同図に示すように、ブラケット４２Ａ、４２Ｂの支持部材４に対する水平取付角度を調整することにより、前記矩形天板に用いたブラケット４２Ａ、４２Ｂと同じブラケット４２Ａ、４２Ｂを用いることができる。さらに、支持部材４が前記各ブラケット４２Ａ、４２Ｂをそれぞれ支持する２つの部材要素４３、４４からなるため、各部材要素４３、４４の脚体２に対する取付位置のみを設定することで、これら部材要素４３、４４をも、共通化することができる。
【００４１】
加えて支持部材４が前記各ブラケット４２Ａ、４２Ｂをそれぞれ支持する２つの部材要素４３、４４からなることから、パネル毎にブラケット４２Ａ、４２Ｂ及び部材要素４３、４４を常に一組にしておけばよく、出荷や組立にあたっての管理が容易になる。
【００４２】
また、脚体２が、支柱２２の上端から前後に延びる天板受け２３を備えた形状であり、天板受け２３の前端部及び後端部に支持部材４を容易に取り付けられるので、天板１の各辺に沿って無理なくパネル３１、３２を配置できる。
【００４３】
なお、本発明は以上に述べた実施形態に限られるものではない。
【００４４】
例えば、支持部材は、部材要素に分かれずに一体のものであってもよい。また、脚体の形状も、Ｌ字型等、種々の形状に適用可能である。もちろんオプション部品は、パネルに限らず、天板下方に取り付けられる配線ダクトや補助棚、補助天板、ワイヤフレーム等他のものであっても前記実施形態と同様の作用効果を奏し得る。
【００４５】
その他本発明は上記各図示例に限られず、その趣旨を逸脱しない範囲で種々変形が可能であるのは言うまでもない。
【００４６】
【発明の効果】
以上に詳述したように、本発明に係るテーブルによれば脚体がＴ字型やＬ字型のもの等、所定取付位置に取り付けた隣り合うパネルのなす角の２等分線に対して脚体が非対称の位置にあるものであっても、支持部材を介在させることにより、各支持部から隣り合う各オプション部品への距離が等しくなるので、共通する取付構造によって各辺に沿わせるべきオプション部品を取り付けることができるようになる。
【図面の簡単な説明】
【図１】本発明の一実施形態におけるテーブルの全体斜視図。
【図２】同実施形態におけるテーブルの全体正面図。
【図３】同実施形態におけるテーブルの全体側面図。
【図４】同実施形態における支持部材、ブラケット、パネル等を示す分解斜視図。
【図５】同実施形態におけるテーブルの隅部を示す部分底面図。
【図６】同実施形態におけるテーブルの隅部を示す部分側面図。
【図７】同実施形態におけるパネルの取付部分を示す部分縦断面図。
【図８】同実施形態における他のテーブルを示す部分底面図。
【符号の説明】
Ｔ・・・テーブル
１・・・天板
１ａ・・・辺（反使用辺）
１ｂ・・・辺（側辺）
１ｄ・・・隅部
２・・・脚体
３１、３２・・・オプション部品（パネル）
４・・・支持部材
４ｂ・・・支持部（ブラケット取付ねじ貫通孔）
４２Ａ、４２Ｂ・・・ブラケット
４３、４４・・・部材要素
α・・・隣り合うパネルがなす角
Ｌ・・・２等分線
【図１】
0004030773.tif 000002
【図２】
0004030773.tif 000003
【図３】
0004030773.tif 000004
【図４】
0004030773.tif 000005
【図５】
0004030773.tif 000006
【図６】
0004030773.tif 000007
【図７】
0004030773.tif 000008
【図８】
0004030773.tif 000009